(57)【要約】【課題】制御対象室内での静電気の発生を防止しつつ、運転コストの削減を図る。【解決手段】データセンタ１における人の在不在をカードリーダ８を利用して検出する。この人の在不在の情報を入退室管理装置７を介して空調コントローラ３Ａへ送る。空調コントローラ３Ａは、データセンタ１が無人である場合、室内湿度の設定値をＲＨｓｐＬ（３０％ＲＨ）とし、データセンタ１が有人である場合、室内湿度の設定値をＲＨｓｐＨ（４０％ＲＨ）とする。空調コントローラ３Ａは、データセンタ１が無人の状態から有人の状態に変わった場合、３０％ＲＨから４０％ＲＨへの急加湿を行う。この急加湿は加湿器２−３を用いて行う。なお、加湿器２−３を用いず、空調機２の冷却能力をアップし、室内の相対湿度を上昇させるようにしてもよい。また、人感センサを設けて、人の在不在を検出するようにしてもよい。【選択図】  図１
2010276323.tif 000002
【特許請求の範囲】
【請求項１】
静電気により物理的損傷を生じる虞がある機器が設置された室を制御対象室として、この制御対象室における人の在不在を検出する在不在検出手段と、
この在不在検出手段の検出結果に基づいて、前記制御対象室が無人の場合には当該制御対象室の湿度を下げ、前記制御対象室が有人の場合には当該制御対象室の湿度を上げる湿度制御手段と
を備えることを特徴とする湿度制御システム。
【請求項２】
請求項１に記載された湿度制御システムにおいて、
前記制御対象室の空気を加湿する加湿器を備え、
前記湿度制御手段は、
前記在不在検出手段の検出結果に基づいて、前記制御対象室が無人の場合には前記加湿器に対する湿度の設定値を下げ、前記制御対象室が有人の場合には前記加湿器に対する湿度の設定値を上げる
ことを特徴とする湿度制御システム。
【請求項３】
請求項１に記載された湿度制御システムにおいて、
前記制御対象室の空気を冷却する冷却装置を備え、
前記湿度制御手段は、
前記在不在検出手段の検出結果に基づいて、前記制御対象室が無人の場合には前記冷却装置に対する温度の設定値を上げ、前記制御対象室が有人の場合には前記冷却装置に対する温度の設定値を下げる
ことを特徴とする湿度制御システム。
【請求項４】
請求項１〜３の何れか１項に記載された湿度制御システムにおいて、
前記湿度制御手段は、
前記在不在検出手段の検出結果に基づいて、前記制御対象室が無人の状態から有人の状態に変わった場合、前記制御対象室の湿度を急激に上昇させる
ことを特徴とする湿度制御システム。
【請求項５】
請求項１に記載された湿度制御システムにおいて、
前記制御対象室の空気を加湿する加湿器を備え、
前記湿度制御手段は、
前記在不在検出手段の検出結果に基づいて、前記制御対象室が無人の場合には前記加湿器に対する湿度の設定値を下げ、前記制御対象室が有人の場合には前記加湿器に対する湿度の設定値を上げる一方、
前記制御対象室が無人の状態から有人の状態に変わった場合、前記加湿器の加湿能力を一時的にアップすることによって、前記制御対象室内の湿度を急激に上昇させる
ことを特徴とする湿度制御システム。
【請求項６】
請求項１に記載された湿度制御システムにおいて、
前記制御対象室の空気を冷却する冷却装置を備え、
前記湿度制御手段は、
前記在不在検出手段の検出結果に基づいて、前記制御対象室が無人の場合には前記冷却装置に対する温度の設定値を上げ、前記制御対象室が有人の場合には前記冷却装置に対する温度の設定値を下げる一方、
前記制御対象室が無人の状態から有人の状態に変わった場合、前記冷却装置の冷却能力を一時的にアップすることによって、前記制御対象室内の湿度を急激に上昇させる
ことを特徴とする湿度制御システム。
【請求項７】
請求項１に記載された湿度制御システムにおいて、
前記制御対象室の空気を加湿する加湿器と、
前記制御対象室の空気を冷却する冷却装置とを備え、
前記湿度制御手段は、
前記在不在検出手段の検出結果に基づいて、前記制御対象室が無人の場合には前記加湿器に対する湿度の設定値を下げ、前記制御対象室が有人の場合には前記加湿器に対する湿度の設定値を上げる一方、
前記制御対象室が無人の状態から有人の状態に変わった場合、前記加湿器の加湿能力および前記冷却装置の冷却能力を一時的にアップすることによって、前記制御対象室内の湿度を急激に上昇させる
ことを特徴とする湿度制御システム。
【発明の詳細な説明】
【技術分野】
【０００１】
この発明は、静電気により物理的損傷を生じる虞がある機器が設置された室の湿度を制御する湿度制御システムに関するものである。
【背景技術】
【０００２】
従来より、サーバなどの電子機器が設置されたデータセンタでは、データセンタ内の機器を保護するために人がいない場合でも空調を行っている。図６にその概略を示す。同図において、１はデータセンタ（制御対象室）、２は空調機（冷却装置）、３は空調コントローラ、４はデータセンタ１内の温度を検出する温度センサ、５は冷水弁である。
【０００３】
このシステムにおいて、空調機２は冷却コイル２−１と送風機２−２とを備えている。冷水弁５は冷却コイル２−１への冷水の供給通路に設けられている。空調コントローラ３は、温度センサ４が検出するデータセンタ１内の温度（室内温度）ｔｐｖを設定温度ｔｓｐ（例えば、ｔｓｐ＝２４℃）に一致するように、冷水弁５の開度（冷却コイル２−１への冷水の量）を制御する。
【０００４】
なお、図６において、空調機２は実際にはデータセンタ１内に設けられているが、構成を分かり易くするためにデータセンタ１の外側に示している。また、空調コントローラ３は、データセンタ１内の人の有無に拘わらず、２４時間、データセンタ１の室内温度ｔｐｖを設定温度ｔｓｐに一致するように制御（定温度制御）する。
【０００５】
このようなシステムにおいて、省エネルギーを図るためには、外気冷房が有効である。しかしながら、乾燥期において、外気冷房を行うと、データセンタ１内の湿度が低下する。データセンタ１内の湿度が低下すると、データセンタ１に人が入室した場合に、その人（人体）が起こす静電気によって、データセンタ１内の電子機器に物理的損傷を与えてしまう虞がある。これにより、最悪の場合、データの誤り発生やデータ消去によるトラブルが発生する。
【０００６】
そこで、一般に、このようなシステムでは、定温度制御と合わせて定湿度制御が行われる（例えば、特許文献１参照）。図７に定温度制御と定湿度制御とを行うようにした例を示す。このシステムでは、空調機２に加湿器２−３を設け、またデータセンタ１内に湿度センサ６を設け、湿度センサ６が検出するデータセンタ１内の湿度（室内湿度）ＲＨｐｖを空調コントローラ３へ送るようにしている。空調コントローラ３は、データセンタ１の室内湿度ＲＨｐｖを設定湿度ＲＨｓｐに一致するように、加湿器２−３からの給気への水分の供給量を制御する。
【０００７】
この場合、空調コントローラ３における設定湿度ＲＨｓｐは、データセンタ１内に人が入っても静電気が発生ないように、ある程度高い値（例えば、ＲＨｓｐ＝４０％ＲＨ（相対湿度））に設定される。また、空調コントローラ３は、データセンタ１内の人の有無に拘わらず、２４時間、データセンタ１の室内湿度ＲＨｐｖを設定湿度ＲＨｓｐに一致するように制御（定湿度制御）する。
【先行技術文献】
【特許文献】
【０００８】
【特許文献１】特開２００８−３０７５０８号公報
【発明の概要】
【発明が解決しようとする課題】
【０００９】
しかしながら、上述した定温度制御と定湿度制御とを行うようにしたシステムによると、データセンタ１内の人の有無に拘わらず、２４時間、定湿度制御を行うようにしているので、この定湿度制御により運転コスト（水道料金など）が増大するという問題があった。
【００１０】
本発明は、このような課題を解決するためになされたもので、その目的とするところは、制御対象室内での静電気の発生を防止しつつ、運転コストの削減を図ることが可能な湿度制御システムを提供することにある。
【課題を解決するための手段】
【００１１】
このような目的を達成するために本発明は、静電気により物理的損傷を生じる虞がある機器が設置された室を制御対象室として、この制御対象室における人の在不在を検出する在不在検出手段と、この在不在検出手段の検出結果に基づいて、制御対象室が無人の場合には当該制御対象室の湿度を下げ、制御対象室が有人の場合には当該制御対象室の湿度を上げる湿度制御手段とを設けたものである。
【００１２】
この発明によれば、例えば、制御対象室をデータセンタとした場合、このデータセンタにおける人の在不在が在不在検出手段によって検出される。この発明において、在不在検出手段は、セキュリティのためにデータセンタに対して入退室管理装置が設けられているような場合、データセンタ内への人の入退室をチェックするカードリーダなどの端末装置を用いることができる。また、在不在検出手段として、人感センサなどをデータセンタ内に設置するようにしてもよい。この在不在検出手段の検出結果に基づいて、湿度制御手段は、制御対象室が無人の場合、当該制御対象室の湿度を下げ、制御対象室が有人の場合、当該制御対象室の湿度を上げる。例えば、無人の場合の制御対象室の湿度を３０％ＲＨ、有人の場合の制御対象室の湿度を４０％ＲＨとした場合、無人の場合には制御対象室の湿度を４０％ＲＨから３０％ＲＨに下げ、有人の場合には制御対象室の湿度を３０％ＲＨから４０％ＲＨに上げる。
【００１３】
本発明において、制御対象室の空気を加湿する加湿器が設けられている場合、制御対象室の湿度の上げ／下げは、加湿器に対する湿度の設定値の上げ／下げによって行うことが可能である。この場合、制御対象室が無人の場合には加湿器に対する湿度の設定値を下げ、制御対象室が有人の場合には加湿器に対する湿度の設定値を上げる。このようにすると、制御対象室が有人の場合を通常の設定状態とした場合、制御対象室が無人の場合には、通常の設定状態よりも低い湿度値で加湿器が運転されることになるので、すなわち加湿器が低能力で運転されることになるので、運転コスト（水道料金など）が削減される。
【００１４】
本発明において、制御対象室の空気を冷却する冷却装置を備えていれば、冷却装置に対する温度の設定値の上げ／下げによって、制御対象室の湿度の上げ／下げを行うことも可能である。この場合、制御対象室が無人の場合には冷却装置に対する温度の設定値を上げ、制御対象室が有人の場合には冷却装置に対する温度の設定値を下げる。ここで、冷却装置に対する温度の設定値は、制御対象室内の温度の設定値（室内温度設定値）としてもよく、冷却装置からの制御対象室への給気の温度の設定値（給気温度設定値）としてもよい。冷却装置に対する温度の設定値を下げると、制御対象室内の相対湿度が上昇する。このようにすると、制御対象室が無人の場合を通常の設定状態とした場合、制御対象室が有人の場合には、通常の設定状態よりも低い温度値で冷却装置が運転されることになる。すなわち、制御対象室が有人となると、冷却装置が高能力で運転されることになる。しかし、データセンタなどでは無人の場合が多く、冷却装置が高能力で運転される状態は少ない。また、通常は、この冷却装置の高能力運転と合わせて、加湿器を用いて加湿を行うようにするが、この時の加湿量を抑制することもできる。
【００１５】
本発明では、無人の場合には制御対象室の湿度を下げ、有人の場合には制御対象室の湿度を上げるが、制御対象室内での静電気の発生を防止する上では、制御対象室が無人の状態から有人の状態に変わった場合に、制御対象室内の湿度を急激に上昇させるようにすることが望ましい。例えば、制御対象室の現在の湿度をチェックし、その湿度がある程度高い場合には急激な湿度の上昇は行わず、低い場合に急激な湿度の上昇を行うようにする。
【００１６】
また、本発明において、加湿器を用いて湿度を上昇させる場合、加湿器を一時的にフル能力で動作させることによって、急加湿を行うようにすることが考えられる。また、冷却装置を用いて湿度を上昇させる場合、冷却装置を一時的にフル能力で動作させることによって、急冷房を行うようにすることが考えられる。また、加湿器の加湿能力と冷却装置の冷却能力をともに一時的にアップすることによって、制御対象室内の湿度を急減に上昇させるようにすることも考えられる。この場合、一時的とは、一定時間経過後であったり、湿度がある一定以上になった時などであり、その後に急加湿や急冷房を解除する。
【発明の効果】
【００１７】
本発明によれば、静電気により物理的損傷を生じる虞がある機器が設置された制御対象室における人の在不在を検出するようにし、この人の在不在の検出結果に基づいて、制御対象室が無人の場合には当該制御対象室の湿度を下げ、制御対象室が有人の場合には当該制御対象室の湿度を上げるようにしたので、制御対象室が無人の場合には加湿器を低能力で運転させるようにしたり、制御対象室が有人の場合に冷却装置を高能力で運転させるようにして、制御対象室内での静電気の発生を防止しつつ、運転コストの削減を図ることが可能となる。
【図面の簡単な説明】
【００１８】
【図１】本発明に係る湿度制御システムの一実施の形態（実施の形態１）の概略を示す図である。
【図２】実施の形態１の湿度制御システムにおける空調コントローラが有する湿度設定自動切替機能を説明するためのフローチャートである。
【図３】本発明に係る湿度制御システムの他の実施の形態（実施の形態２）の概略を示す図である。
【図４】実施の形態２の湿度制御システムにおける空調コントローラが有する温度設定自動切替機能を説明するためのフローチャートである。
【図５】加湿能力と冷却能力をともにアップすることによって湿度を急激に上昇させるようにした例（実施の形態３）を説明するためのフローチャートである。
【図６】従来のデータセンタにおいて行われている定温度制御の概略を説明する図である。
【図７】従来のデータセンタにおいて行われている定温度制御＋定湿度制御の概略を説明する図である。
【発明を実施するための形態】
【００１９】
以下、本発明を図面に基づいて詳細に説明する。
〔実施の形態１：湿度設定切替方式〕
図１はこの発明に係る湿度制御システムの一実施の形態（実施の形態１）の概略を示す図である。同図において、図７と同一符号は図７を参照して説明した構成要素と同一或いは同等構成要素を示し、その説明は省略する。
【００２０】
この実施の形態１において、図７に示した従来のシステムと異なる点は、空調コントローラ３が有する機能にある。この実施の形態１では、空調コントローラ３を３Ａとし、従来のシステムにおける空調コントローラと区別する。
【００２１】
また、この実施の形態１において、データセンタ１に対しては、セキュリティのための入退室管理装置７が設けられている。入退室管理装置７は、データセンタ１内への人の入退室をチェックする端末装置としてカードリーダ８を備えている。
【００２２】
この実施の形態１では、カードリーダ８より得られるデータセンタ１内への人の入退室に関する情報を入退室管理装置７で処理し、データセンタ１が有人であるのか無人であるのかの情報（以下、この情報を在不在情報と呼ぶ）を入退室管理装置７より空調コントローラ３Ａへ送るようにしている。
【００２３】
また、この実施の形態１では、空調コントローラ３Ａに、データセンタ１が有人である場合の室内湿度の設定値としてＲＨｓｐＨ（以下、有人時湿度設定と呼ぶ）を、無人である場合の室内湿度の設定値としてＲＨｓｐＬ（以下、無人時湿度設定と呼ぶ）を設定している。この例では、有人時湿度設定ＲＨｓｐＨを４０％ＲＨ、無人時湿度設定ＲＨｓｐＬを３０％ＲＨとして定めている。なお、有人時湿度設定ＲＨｓｐＨとしては、人がいても静電気が発生しない湿度値として３０％ＲＨ以上の値が望まれる。また、無人時湿度設定ＲＨｓｐＬとしては、機器保護のための最低限の湿度値として２０％程度であればよいが、この例では安全をみて３０％ＲＨとしている。
【００２４】
空調コントローラ３Ａは、プロセッサや記憶装置からなるハードウェアと、これらのハードウェアと協働して各種機能を実現させるプログラムとによって実現され、本実施の形態特有の機能として湿度設定自動切替機能を有している。この湿度設定自動切替機能が本発明でいう湿度制御手段に対応し、図１ではこの機能を実現するための処理部を湿度制御部３ａとして示している。以下、図２に示したフローチャートに従って、空調コントローラ３Ａが有する湿度設定自動切替機能について説明する。
【００２５】
〔データセンタ内が無人である場合〕
今、データセンタ１内が無人であるとする。この場合、空調コントローラ３Ａは、入退室管理装置７からの在不在情報に基づいて、データセンタ１内が無人であると判定する（ステップＳ１０１の「無人」）。
【００２６】
空調コントローラ３Ａは、データセンタ１内が無人であると判定すると、無人時湿度設定ＲＨｓｐＬを読み出し、この読み出した無人時湿度設定ＲＨｓｐＬを室内湿度設定値ＲＨｓｐとする（ステップＳ１０２）。これにより、室内湿度設定値ＲＨｓｐがＲＨｓｐＬ＝３０％ＲＨとされる。
【００２７】
そして、空調コントローラ３Ａは、湿度センサ６が検出するデータセンタ１の室内湿度ＲＨｐｖを読み取り、この室内湿度ＲＨｐｖと室内湿度設定値ＲＨｓｐ（ＲＨｓｐＬ）とが一致するように、加湿器２−３からの給気への水分の供給量を制御する（ステップＳ１０３）。
【００２８】
空調コントローラ３Ａは、データセンタ１内が無人である場合、上述したステップＳ１０１〜Ｓ１０３の処理動作を繰り返す。これにより、データセンタ１内が無人である場合、データセンタ１内の湿度が無人時湿度設定ＲＨｓｐＬとして定められている３０％ＲＨの湿度に保たれる。
【００２９】
〔データセンタ内が有人となった場合〕
次に、データセンタ１内が有人となった場合について説明する。データセンタ１に入るために人がカードリーダ８にカードをセットすると、入退室管理装置７は、そのセットしたカードに書き込まれいるＩＤがデータセンタ１内への入室が許可されている人のＩＤであるか否かを確認する。入室が許可された人のＩＤであり、かつその人が無人のデータセンタ１内への初めての入室者であると、入退室管理装置７は、データセンタ１内への入室を許可すると同時に、データセンタ１内が無人の状態から有人の状態に変わったことを示す在不在情報を空調コントローラ３Ａへ送る。
【００３０】
空調コントローラ３Ａは、この入退室管理装置７から送られてくる在不在情報に基づいて、データセンタ１内が無人の状態から有人の状態に変わったと判定する（ステップＳ１０１の「有人」）。空調コントローラ３Ａは、データセンタ１内が無人の状態から有人の状態に変わったと判定すると、有人時湿度設定ＲＨｓｐＨを読み出し、この読み出した有人時湿度設定ＲＨｓｐＨを室内湿度設定値ＲＨｓｐとする（ステップＳ１０４）。これにより、室内湿度設定値ＲＨｓｐがＲＨｓｐＨ＝４０％ＲＨとされる。
【００３１】
次に、空調コントローラ３Ａは、湿度センサ６が検出するデータセンタ１の現在の室内湿度ＲＨｐｖを読み取り、この現在の室内湿度ＲＨｐｖがＲＨｓｐＨ−αよりも低いか否かをチェックする（ステップＳ１０５）。この場合、αは急加湿を行うか否かを判定するために予め定められた値であり、現在の室内湿度ＲＨｐｖがＲＨｓｐＨ−αよりも低ければ（ステップＳ１０５のＹＥＳ）、加湿器２−３を一時的にフル能力で動作させることによって（ステップＳ１０６）、急加湿を行う。
【００３２】
この場合、一時的とは、一定時間経過後であったり、室内湿度ＲＨｐｖがある一定以上となった時などであり、その後に急加湿を解除する。そして、この急加湿の後、室内湿度ＲＨｐｖと室内湿度設定値ＲＨｓｐ（ＲＨｓｐＨ）とが一致するように、加湿器２−３からの給気への水分の供給量を制御する（ステップＳ１０３）。
【００３３】
これに対し、現在の室内湿度ＲＨｐｖがＲＨｓｐＨ−α以上であれば（ステップＳ１０５のＮＯ）、ステップＳ１０６での急加湿は行わずに、直ちにステップ１０３へ進み、室内湿度ＲＨｐｖと室内湿度設定値ＲＨｓｐ（ＲＨｓｐＨ）とが一致するように、加湿器２−３からの給気への水分の供給量を制御する（ステップＳ１０３）。
【００３４】
空調コントローラ３Ａは、データセンタ１内が有人である場合、上述したステップＳ１０１，Ｓ１０４〜Ｓ１０６，Ｓ１０３の処理動作を繰り返す。これにより、データセンタ１が有人となると、データセンタ１内の湿度が有人時湿度設定ＲＨｓｐＨとして定められている４０％ＲＨの湿度まで即座に上昇し、データセンタ１内が有人である間その湿度状態が保たれる。これにより、データセンタ１に人が入室しても静電気が生じず、データセンタ１内の電子機器に物理的損傷を与えてしまうことがなくなる。
【００３５】
以上の説明から分かるように、この実施の形態１では、データセンタ１が有人の場合を通常の設定状態とした場合、データセンタ１が無人の場合には、通常の設定状態よりも低い湿度値で加湿器２−３が運転されることになるので、すなわち加湿器２−３が低能力で運転されることになるので、運転コスト（水道料金など）が削減される。
【００３６】
〔実施の形態２：温度設定切替方式〕
図３はこの発明に係る湿度制御システムの他の実施の形態（実施の形態２）の概略を示す図である。同図において、図１と同一符号は図１を参照して説明した構成要素と同一或いは同等構成要素を示し、その説明は省略する。
【００３７】
この実施の形態２では、空調コントローラ３（３Ｂ）に、データセンタ１が有人である場合の室内温度の設定値としてｔｓｐＬ（以下、有人時温度設定と呼ぶ）を、無人である場合の室内温度の設定値としてｔｓｐＨ（以下、無人時温度設定と呼ぶ）を設定している。この例では、有人時温度設定ｔｓｐＬを１９℃、無人時温度設定ｔｓｐＨを２４℃として定めている。
【００３８】
空調コントローラ３Ｂは、プロセッサや記憶装置からなるハードウェアと、これらのハードウェアと協働して各種機能を実現させるプログラムとによって実現され、本実施の形態特有の機能として温度設定自動切替機能を有している。この温度設定自動切替機能が本発明でいう湿度制御手段に対応し、図３ではこの機能を実現するための処理部を湿度制御部３ｂとして示している。以下、図４に示したフローチャートに従って、空調コントローラ３Ｂが有する温度設定自動切替機能について説明する。
【００３９】
〔データセンタ内が無人である場合〕
今、データセンタ１内が無人であるとする。この場合、空調コントローラ３Ｂは、入退室管理装置７からの在不在情報に基づいて、データセンタ１内が無人であると判定する（ステップＳ２０１の「無人」）。
【００４０】
空調コントローラ３Ｂは、データセンタ１内が無人であると判定すると、無人時温度設定ｔｓｐＨを読み出し、この読み出した無人時温度設定ｔｓｐＨを室内温度設定値ｔｓｐとする（ステップＳ２０２）。これにより、室内温度設定値ｔｓｐがｔｓｐＨ＝２４℃とされる。
【００４１】
そして、空調コントローラ３Ｂは、温度センサ４が検出するデータセンタ１の室内温度ｔｐｖを読み取り、この室内温度ｔｐｖと室内温度設定値ｔｓｐ（ｔｓｐＨ）とが一致するように、冷水弁５の開度を制御する（ステップＳ２０３）。
【００４２】
空調コントローラ３Ｂは、データセンタ１内が無人である場合、上述したステップＳ２０１〜Ｓ２０３の処理動作を繰り返す。これにより、データセンタ１内が無人である場合、データセンタ１内の温度が無人時温度設定ｔｓｐＨとして定められている２４℃の温度に保たれる。
【００４３】
〔データセンタ内が有人となった場合〕
次に、データセンタ１内が有人となった場合について説明する。データセンタ１に入るために人がカードリーダ８にカードをセットすると、入退室管理装置７は、そのセットしたカードに書き込まれいるＩＤがデータセンタ１内への入室が許可されている人のＩＤであるか否かを確認する。入室が許可された人のＩＤであり、かつその人が無人のデータセンタ１内への初めての入室者であると、入退室管理装置７は、データセンタ１内への入室を許可すると同時に、データセンタ１内が無人の状態から有人の状態に変わったことを示す在不在情報を空調コントローラ３Ｂへ送る。
【００４４】
空調コントローラ３Ｂは、この入退室管理装置７から送られてくる在不在情報に基づいて、データセンタ１内が無人の状態から有人の状態に変わったと判定する（ステップＳ２０１の「有人」）。空調コントローラ３Ｂは、データセンタ１内が無人の状態から有人の状態に変わったと判定すると、有人時温度設定ｔｓｐＬを読み出し、この読み出した有人時温度設定ｔｓｐＬを室内温度設定値ｔｓｐとする（ステップＳ２０４）。これにより、室内温度設定値ｔｓｐがｔｓｐＬ＝１９℃とされる。
【００４５】
次に、空調コントローラ３Ｂは、湿度センサ６が検出するデータセンタ１の現在の室内湿度ＲＨｐｖを読み取り、この現在の室内湿度ＲＨｐｖがＲＨｈ−αよりも低いか否かをチェックする（ステップＳ２０５）。この場合、ステップＳ２０５でのＲＨｈは、実施の形態１における有人時湿度設定値ＲＨｓｐＨに相当する値（４０％ＲＨ）として定められている。また、αは急冷房を行うか否かを判定するために定められた値であり、現在の室内湿度ＲＨｐｖがＲＨｈ−αよりも低ければ（ステップＳ２０５のＹＥＳ）、空調機２を一時的にフル能力で動作させることによって（ステップＳ２０６）、すなわち冷水弁５の開度を一時的に最大とすることによって、急冷房を行う。この急冷房によって、室内の相対湿度が急激に上昇する。
【００４６】
この場合、一時的とは、一定時間経過後であったり、室内温度ｔｐｖがある一定以上となった時などであり、その後に急冷房を解除する。そして、この急冷房の後、室内温度ｔｐｖと室内温度設定値ｔｓｐ（ｔｓｐＬ）とが一致するように、冷水弁５の開度を制御する（ステップＳ２０３）。
【００４７】
これに対し、現在の室内湿度ＲＨｐｖがＲＨｈ−α以上であれば（ステップＳ２０５のＮＯ）、ステップＳ２０６での急冷房は行わずに、直ちにステップ２０３へ進み、室内温度ｔｐｖと室内温度設定値ｔｓｐ（ｔｓｐＬ）とが一致するように、冷水弁５の開度を制御する（ステップＳ２０３）。
【００４８】
空調コントローラ３Ｂは、データセンタ１内が有人である場合、上述したステップＳ２０１，Ｓ２０４〜Ｓ２０６，Ｓ２０３の処理動作を繰り返す。これにより、データセンタ１内が有人となると、データセンタ１内の湿度が有人時温度設定ｔｓｐＬによって定まる湿度値まで即座に上昇し、データセンタ１内が有人である間その湿度状態が保たれる。これにより、データセンタ１に人が入室しても静電気が生じず、データセンタ１内の電子機器に物理的損傷を与えてしまうことがなくなる。
【００４９】
以上の説明から分かるように、この実施の形態２では、データセンタ１が無人の場合を通常の設定状態とした場合、データセンタ１が有人の場合には、通常の設定状態よりも低い温度値で空調機２が運転されることになる。すなわち、データセンタ１が有人となると、空調機２が高能力で運転されることになる。しかし、データセンタ１では無人の場合が多く、空調機２が高能力で運転される状態は少ない。また、通常は、この空調機２の高能力運転と合わせて、加湿器２−３を用いて加湿を行うようにするが、この時の加湿量を抑制することもできる。
【００５０】
〔実施の形態３：湿度設定切替方式（急加湿時：加湿能力＋冷却能力アップ）〕
実施の形態１では、ステップＳ１０６（図２）において、加湿器２−３を一時的にフル能力で動作させることによって急加湿を行うようにしたが、加湿器２−３だけではなく、空調機２も一時的にフル能力で動作させることによって、急加湿を行うようにしてもよい。
【００５１】
図５にこの場合のフローチャートを示す。この例では、ステップＳ１０６をステップＳ１０６ＡとＳ１０６Ｂとの２つのステップとし、ステップＳ１０６Ａで加湿器２−３を一時的にフル能力で動作さると同時に、ステップＳ１０６Ｂで空調機２を一時的にフル能力で動作させるようにしている。すなわち、加湿器２−３の加湿能力および空調機２の冷却能力をともに一時的にアップさせるようにして、急加湿を行うようにしている。
【００５２】
なお、上述した実施の形態２では、室内温度の設定値を無人時と有人時とで切り替えるようにしたが、空調機２からの給気温度の設定値を無人時と有人時とで切り替えるようにしてもよい。
【００５３】
また、上述した実施の形態１〜３では、データセンタ１における人の在不在を入退室管理装置７に対して設けられているカードリーダ８を利用して検出するようにしたが、例えば、データセンタ１の天井などに人感センサを設けるようにして、この人感センサによってデータセンタ１における人の在不在を検出するようにしてもよい。
【００５４】
また、上述した実施の形態１〜３では、急加湿を行う場合に、加湿器２−３を一時的にフル能力で動作させたり、空調機２を一時的にフル能力で動作させるようにしたが、必ずしもフル能力で動作させるようにしなくてもよく、その能力を一時的に所定量アップするようにしてもよい。また、データセンタ１が無人の場合には、加湿器２−３や空調機２の動作を停止させたりしてもよい。
【００５５】
また、上述した実施の形態１〜３では、空調機２の内部に加湿器２−３を設けた例で説明したが、空調機２とは別に独立して加湿器を設けてもよいことは言うまでもない。
【産業上の利用可能性】
【００５６】
本発明の湿度制御システムは、静電気により物理的損傷を生じる虞がある機器が設置された制御対象室内の湿度を制御する湿度制御システムとして、サーバなどを設置したデータセンタなどを様々な室を制御対象室として利用することが可能である。
【符号の説明】
【００５７】
１…データセンタ、２…空調機（冷却装置）、２−１…冷却コイル、２−２…送風機、２−３…加湿器、３Ａ，３Ｂ…空調コントローラ、３ａ，３ｂ…湿度制御部、４…温度センサ、５…冷水弁、６…湿度センサ、７…入退室管理装置、８…カードリーダ。
【図１】
2010276323.tif 000003
【図２】
2010276323.tif 000004
【図３】
2010276323.tif 000005
【図４】
2010276323.tif 000006
【図５】
2010276323.tif 000007
【図６】
2010276323.tif 000008
【図７】
2010276323.tif 000009